(57)【特許請求の範囲】
【請求項１】
端部下面に切り欠き部が設けられ、この切り欠き部を建物の支持体に係合させることにより前記支持体に支持される建築用横架材において、
前記切り欠き部の近傍には、該切り欠き部の角部を補強する補強部材が設けられ、
前記補強部材は合板であることを特徴とする建築用横架材。
【請求項２】
端部下面に切り欠き部が設けられ、この切り欠き部を建物の支持体に係合させることにより前記支持体に支持される建築用横架材において、
前記切り欠き部の近傍には、該切り欠き部の角部を補強する補強部材が設けられ、
前記補強部材は、前記切り欠き部内側の本体部の側面に、該側面の上下端部に渡って設けられていることを特徴とする建築用横架材。
【請求項３】
請求項１または２記載の建築用横架材において、前記補強部材が、前記角部を含む切り欠き部に沿って設けられていることを特徴とする建築用横架材。
【請求項４】
縦横の框材を矩形枠状に組むことによりなる枠体を備えたパネルにおいて、
前記縦框材は請求項１〜３のいずれかに記載の建築用横架材であり、
前記横框材は、前記縦框材である建築用横架材の端部で且つ前記切り欠き部より上部分に接合されていることを特徴とするパネル。
【発明の詳細な説明】
【０００１】
【発明の属する技術分野】
本発明は、建築用横架材に係り、詳細には、端部が壁や柱などの建物の支持体に設置されることで支持される建築用横架材及びこれを備えたパネルに関する。
【０００２】
【背景の技術】
端部が壁や柱などの建物の支持体に設置されて建物の構成体となる建築用横架材の一例として例えば、特開平１１−１５９０５０号公報に開示された２階床パネルを構成する縦框材がある。
この２階床パネルは、縦横の框材を組むことにより構成された矩形枠状の枠体と、この枠体の上面に設けられた面材とを備えており、端部下面には切り欠き部が形成されている。また、この公報に示す枠体の下面には石膏ボードが取り付けられている。そして、この切り欠き部が形成された端部は、胴差とともに１階壁パネル上面に設けられ、これら床パネルの端部及び胴差の上面には２階壁パネルが立設されている。
【０００３】
【発明が解決しようとする課題】
ところで、上記公報のように建築用横架材を縦框材として用い、端部が１階壁パネル上部に設置された２階床パネルの構造において、例えば、２階床パネルのスパン（長辺方向の長さ）を大きくした場合、２階床パネルの端部にかかる荷重が大きくなる。このように２階床パネルの端部にかかる荷重が大きい場合、建築用横架材である縦框材の下面から上面までの高さを高くする、つまり縦框材の梁成を大きくすることにより建築用横架材自体の強度を上げて対応する構成が考えられる。
しかし、縦框材の梁成を大きくする分、その分の材料費がかさみ制作コストがかかるという問題があった。
本発明の課題は、制作コストがかかることなく、上方からの荷重を確実に支持できる建築用横架材を提供することである。
【０００４】
【課題を解決するための手段】
以上の課題を解決するため、請求項１記載の発明は、端部１１１下面に切り欠き部１８が設けられ、この切り欠き部１８を建物の支持体（例えば、１階壁パネル２）に係合させることにより前記支持体２に支持される建築用横架材（例えば、縦框材１１）において、例えば、図１〜図３に示すように、前記切り欠き部１８の近傍には、該切り欠き部１８の角部１８ａを補強する補強部材（例えば、補強合板９）が設けられ、前記補強部材９は、合板であることを特徴とする。
【０００５】
請求項１記載の発明によれば、端部１１１下面に設けられた切り欠き部１８の近傍には、該切り欠き部１８の角部１８ａを補強する補強部材９が設けられているので、前記建物の支持体２に係合する切り欠き部１８の角部１８ａが前記補強部材９により補強される。これにより、前記切り欠き部１８を建物の支持体２に係合させることにより建築用横架材１１を前記支持体２に支持させた際に、建築用横架材１１の端部１１１は、建築用横架材１１自体の荷重や建築用横架材１１にかかる上方からの荷重を、前記補強部材９により前記切り欠き部１８の角部１８ａが補強された状態で受けることができ、よって建築用横架材１１は、その端部１１１を介して確実に前記支持体２に支持される。つまり、建築用横架材１１のスパンを大きくすることにより端部１１１が受ける荷重が大きくなっても、建築用横架材１１の梁成を大きくすることなく、端部１１１がその荷重に耐えて、前記支持体２に伝えることができる。したがって、スパンを大きくしても梁成を大きくすることなく、端部１１１下面の切り欠き部１８を前記支持体２に係合させて上方からの荷重を確実に支持することができる。また梁成を大きくする必要がないことから、その分の材料費がかからず制作コストの低廉化を図ることができる。
また、前記補強部材９は合板であるので、その取り付け作業が行いやすい。つまり、ステープル、釘、ビス等といった止着部材（特にステープル、釘、ビスなどは汎用性が高い部材）により容易に取り付けることができる。さらに、前記補強部材が合板であることから、廃材なども使用してリサイクルすることも可能となる。
【０００６】
ここで、建築用横架材とは建築において横方向に架け渡され、端部下面に切り欠き部が設けられた部材であれば、どのような部材であってもよく、例えば、梁、飛梁、根太、垂木、まぐさ等等が挙げられる。また、梁や根太、垂木に準ずる材、例えば、パネル工法における床パネルの縦框材、屋根パネルの縦框材等であってもよい。なお、パネル工法とは、住宅の構築において、予め工場等で製造された木質パネルを現場で組み付けることにより、住宅の床、壁、屋根等を構築する工法である。そして、このような建築用横架材が係合する前記建物の支持体として例えば、柱、壁やこれらに準ずる部材、つまり同じ作用効果を有するものであれば、どのようなものでもよい。例えば、パネル工法では壁パネルがこれに該当する。前記補強部材は前記切り欠き部の角部を補強するものであり、切り欠き部の近傍に設けられるものであれば、どのように構成されていてもよい。
つまり、切り欠き部の角部の少なくとも一方の辺部に沿って取り付けるようにもよい。具体的には、板状の補強部材を角部の一辺に沿うようにして、角部の外縁にかかるように取り付けた構成などが挙げられる。
【０００７】
請求項２記載の発明は、例えば、図１〜図３に示すように、端部１１１下面に切り欠き部１８が設けられ、この切り欠き部１８を建物の支持体（例えば、１階壁パネル２）に係合させることにより前記支持体２に支持される建築用横架材（例えば、縦框材１１）において、前記切り欠き部１８の近傍には、該切り欠き部１８の角部１８ａを補強する補強部材（例えば、補強合板９）が設けられ、前記補強部材９は、前記切り欠き部１８内側の本体部１１０の側面１１ｂに、該側面１１ｂの上下端部１１ｂａ，１１ｂｂに渡って設けられていることを特徴とする。
【０００８】
請求項２記載の発明によれば、前記補強部材９が、前記切り欠き部１８内側の本体部１１０の側面１１ｂに、該側面１１ｂの上下端部１１ｂａ，１１ｂｂに渡って設けられているので、本体部１１０の端部をその上下幅に渡って補強することができる。したがって、建築用横架材１１の端部１１１の強度の向上が図られ、建築用横架材の耐力を大きくすることができ、これにより前記建物の支持体２に前記荷重を確実に受けさせることができる。また、前記補強部材９を前記切り欠き部１８内側の本体部１１０の側面１１ｂに取り付ける際に、前記側面１１ｂの上下端部１１ｂａ，１１ｂｂを基準に、これら上下端部１１ｂａ，１１ｂｂに渡るように取り付けることができ、その取り付け作業の際の位置決めが行いやすい。
【０００９】
請求項３記載の発明は、請求項１または２記載の建築用横架材において、例えば、図１〜図３に示すように、
前記補強部材９が、前記角部１８ａを含む切り欠き部１８に沿って設けられていることを特徴とする。
【００１０】
請求項３記載の発明によれば、請求項１または２記載の発明と同様の効果を得ることができるとともに、前記補強部材９は、前記角部１８ａを含む切り欠き部１８に沿って設けられているので、前記補強部材９を前記切り欠き部１８の近傍に設けるだけで、角部１８ａを効率よく補強した状態とすることができる。
【００１３】
請求項４記載の発明は、縦横の框材１１，１２を矩形枠状に組むことによりなる枠体１０を備えたパネルにおいて、例えば、図１〜図３に示すように、前記縦框材１１は請求項１〜３のいずれかに記載の建築用横架材１１であり、前記横框材１２は、前記縦框材１１である建築用横架材の端部１１１で且つ前記切り欠き部１８より上部分（例えば、突片部１１２）に接合されていることを特徴とする。
【００１４】
請求項４記載の発明によれば、前記縦框材は請求項１〜３のいずれかに記載の建築用横架材１１であり、前記横框材１２は、前記縦框材である建築用横架材１１の端部１１１で且つ前記切り欠き部１８より上部分１１２に接合されているので、これら縦横の框材１１，１２を組むことよりなる枠体１０を備えたパネルとなり、請求項１〜３のいずれかに記載の発明と同様の効果を得ることができるパネルとなる。
【００１５】
【発明の実施の形態】
以下、図１〜図３を参照して本発明の実施の形態を詳細に説明する。なお、この実施の形態における建築用横架材は、パネル工法にて用いられる床パネル、特に２階床パネルを構成する縦框材に適用されている。
まず、このパネルの構成を説明する。
【００１６】
図１に示す２階床パネル１は、縦框材（建築用横架材）１１，横框材１２を矩形枠状に組んでなる枠体１０と、枠体１０内で横框材１２間で且つ前記縦框材１１間で、該縦框材１１と平行に所定間隔を開けて配置された補助桟材１３と、枠体１０及び補助桟材１３の表面に設けられた面材１６とを備えている。
【００１７】
縦框材１１は、図１及び図２に示すように、枠体１０の長手方向の長辺部となるものであり、両側の端部１１１下面に切り欠き部１８が形成されている。なお、端部１１１において、切り欠き部１８より上部分を突片部１１２と称す。また、この切り欠き部１８より内側の縦框材１１の本体部１１０の側面１１ｂには、切り欠き部１８の角部１８ａを補強する補強合板（補強部材）９が設けられている。
【００１８】
補強合板９は、縦框材１１において、切り欠き部１８より内側の側面１１ｂに、該側面１１ｂの上下端部１１ｂａ，１１ｂｂに渡って配置されており、切り欠き部側の一辺９ａが切り欠き部１８の角部１８ａの鉛直方向の一辺１８ａａに沿うように、止着材、例えばステープルにより固定されている。
また、補強合板９を切り欠き部１８内側の本体部１１０の側面１１ｂに取り付ける際に、側面１１ｂの上下端部１１ｂａ，１１ｂｂを基準に、これら上下端部１１ｂａ，１１ｂｂに渡るように取り付けることができ、その取り付け作業における位置決めが行いやすくなっている。
このように補強合板９は、角部１８ａを含む切り欠き部１８に沿って設けられているので、補強合板９を切り欠き部１８の近傍に設けるだけで、角部１８ａを効率よく補強した状態とすることができる。また、補強合板９は合板であるので、その取り付け作業が行いやすい。つまり、釘、ステープル、ビスなどの止着部材（この実施の形態ではステープル）により容易に取り付けることができる。さらに補強合板９として廃材の合板を使用してもよい。
横框材１２は、縦框材１１の端部１１１（詳細には、端部１１１において切り欠き部より上部分である突片部１１２）が係合する切り欠き部１２１（後述する）が設けられるとともに枠体１０の短辺部を構成している。また、この横框材１２の上下方向の幅は突片部の上下方向の幅と同一の寸法で構成されている。
【００１９】
つまり枠体１０は、所定間隔を開けて対向して配置された横框材１２間に、１組の縦框材１１を、それぞれ該縦框材１１の端部１１１の切り欠き部１８より上の部分（突片部１１２）の端面１１ａを横框材１２の切り欠き部１２１の底面に突き合わせて、枠体１０の厚み方法に並べられた釘などの止着材８を、外側面１２ｂから打ち込むことにより直角に接合されて矩形枠状に形成されている。
【００２０】
また、横框材１２の内側面１２ａの中央部には、内側に開口する桟材欠込み部（切り欠き部）１２２が設けられ、この桟材欠込み部１２２に補助桟材１３の端部１３０が係合されている。補助桟材１３は縦框材１１とほぼ同様な形状で構成され、横框材１２に対して直交するように、端面を桟材欠込み部１２２の底面に突き合わせた状態で釘（止着材）８を介して前記横框材１２に結合されている。補助桟材１３を横框材１２に接合する釘８は、横框材１２に該横框材１２の外側面１２ｂから枠体１０の厚さ方向に打ち込まれている。
【００２１】
さらに、このように構成された２階床パネル１の枠体１０の内部中央には、縦框材１１と直交して、かつ横框材１２と平行に根太・ブロッキング材１５が設けられている。この根太・ブロッキング材１５は、一方の縦框材（図１では奥側の縦框材）１１と補助桟材１３との間に設けられる板材１５ａと、補助桟材１３の上部と他方の縦框材１１の上部に架設される架設桟材１５ｂとを有し、架設桟材１５ｂは、その両端部が補助桟材１３および他方の縦框材（図１の手前側の縦框材）１１の上面にそれぞれ形成された溝部に嵌るように設けられている。
【００２２】
次に２階床パネルの設置構造について図３を参照して説明する。
図３に示す２階床パネル１は、端部（縦框材１１の端部１１１部分）が、１階壁パネル２の上端面の厚さの略半分のところに設置され、該壁パネル２の上端面の厚さの残りの略半分には、胴差３が設置されている。
詳細には、２階床パネルを構成する横框材１２全体と、この横框材１２に接合されている縦框材１１の端部１１１の切り欠き部１８が１階壁パネル２の上部に係合しており、これにより縦框材１１及び横框材１２は１階壁パネルにより支持された状態となっている。
また、前記２階床パネル１の端部および胴差３上には、２階壁パネル４が設置されている。そして、前記壁パネル２，４は、図示しないスクリュー釘を前記床パネル１の横框材１２および胴差３に斜め打ちすることで固定されている。さらに、前記壁パネル２，４は、胴差ボルト６を２階床パネル１と胴差３との接合部において上下に貫通させ、該胴差ボルト６の上端部６ａを壁パネル４の下端の横框材４ａに貫通させるとともに、該胴差ボルト６の下端部６ｂを壁パネル２の上端の横框材２ａに貫通させ、該胴差ボルト６の上下端部６ａ，６ｂにナット７，７を螺合して締め付けることで、互いに連結されている。なお、前記壁パネル２，４は、それぞれ横の框材２ａ，４ａと縦の框材（図示略）を矩形枠状に組み付けて構成した枠体を有するとともに、この枠体内に補強桟材（図示略）を縦横に組み付け、さらに、前記枠体の両面に面材となる石膏ボード２ｂ，４ｂを貼設することで構成されている。なお、２階床パネル１の縦框材の切り欠き部１８は、１階壁パネル２の上面とともに、該１階壁パネル２の内壁面の上部に、上面が１階壁パネルの上面とほぼ面一となるように取り付けられた根太受け５に係止された状態となっている。
【００２３】
このように端部が１階の壁パネル２の上部に配置されて１階壁パネルの上部に係合する、２階床パネル１の縦框材１１の端部１１１下面に設けられた切り欠き部１８より内側の本体部１１０の側面１１ｂには、該切り欠き部１８の角部１８ａを補強する補強合板９が設けられているので、切り欠き部１８の角部１８ａは補強合板９により補強されたものとなる。よって、図３に示すように縦框材１１の切り欠き部１８を１階壁パネル２に係合させることにより２階床パネル１を１階壁パネル２に支持させると、縦框材１１の端部１１１は、縦框材１１自体の荷重を含む２階床パネル１の荷重や縦框材１１にかかる上方からの荷重を補強合板９により切り欠き部１８の角部１８ａが補強された状態で受けることができる。これにより１階壁パネル２上に設置される横框材１２とともに２階床パネル１は、その縦框材１１の端部１１１を介して確実に１階壁パネル２に支持される。つまり、縦框材１１のスパンを大きくした２階床パネル１でも２階床パネル１における縦框材１１の端部１１１が受ける荷重が大きくなっても、縦框材１１の梁成を大きくすることなく、縦框材１１の端部１１１がその荷重に耐えて、この荷重を該縦框材１１の端部１１１が接合されている横框材１２とともに１階壁パネル２に伝えることができる。したがって、床パネル１を構成する縦框材１１のスパンを大きくしても梁成を大きくすることなく、端部１１１下面を１階壁パネル２に係合させて、該１階壁パネル２上に載置される横框材１２と縦框材１１の端部１１１を介して上方からの荷重を確実に支持することができる。また梁成を大きくする必要がないことから、その分の材料費がかからず制作コストの低廉化を図ることができる。
【００２４】
また、補強合板９が、２階床パネル１を構成する縦框材１１の切り欠き部１８内側の本体部１１０の側面１１ｂに、該側面１１ｂの上下端部１１ｂａ，１１ｂｂに渡って設けられているので、本体部１１０の端部をその上下幅に渡って補強された状態となっている。したがって、縦框材１１の端部１１１の強度の向上が図られ、横框材１２とともに、２階床パネル１の端部にかかる荷重を１階壁パネル２に確実に受けさせ、２階床パネル１は１階壁パネル２に確実に支持された状態となる。
また、上記構成の２階床パネル１を１階壁パネル２に設けた構成では、２階床パネル１の縦框材１１及び補助桟材１３の端部が１階壁パネル上面に設置された状態となっており、これら縦框材１１及び補助桟材１３が接合されている横框材１２とともに２階床パネル１に上方からかかる荷重を確実に１階壁パネル２に伝えることができる。
【００２５】
なお、以上の実施の形態においては、枠体１０を縦框材１１の端面１１ａを横框材１２に突き合わせて接合して組むことで構成されているが、これに限らず、縦框材１１間に横框材１２を架設して矩形枠状に形成してもよい。つまり、横框材の端面を縦框材に突き合わせて矩形枠状に組んで、これら縦横の框材を接合した構成としてもよい。また、補強合板は、縦框材１１において、切り欠き部１８の内側の本体部側面、該側面の上下端部に渡って取り付けたものとしたが、これに限らず、角部１８ａに沿って、左右に取り付けてもよい。また、補強合板をＬ字型に成形して、角部の２辺を沿って取り付けてもよい。
また、上記実施の形態では、建築用横架材としてパネル工法における縦框材としたが、これにかぎらず、端部下面に切り欠き部が設けられ、この切り欠き部を建物の支持体に係合させることにより前記支持体に支持されるものであれば、どのような建築部材に適用してもよい。例えば、根太、垂木、梁などであってもよい。
【００２６】
【発明の効果】
請求項１記載の発明によれば、前記建物の支持体に係合する切り欠き部の角部が前記補強部材により補強されるので、前記切り欠き部を建物の支持体に係合させることにより前記支持体に支持させた際に、前記建築用横架材の端部は、建築用横架材自体の荷重や建築用横架材にかかる上方からの荷重を前記補強部材により前記切り欠き部の角部が補強された状態で受けることができ、よって、前記建築用横架材は、その端部を介して確実に前記支持体に支持される。したがって、スパンを大きくしても梁成を大きくすることなく、端部下面を前記支持体に係合させて上方からの荷重を確実に支持することができる。また梁成を大きくする必要がないことから、その分の材料費がかからず制作コストの低廉化を図ることができる。
また、前記補強部材は合板であるので、その取り付け作業が行いやすい。つまり、ステープル、釘、ビス等といった止着部材（特にステープル、釘、ビスなどは汎用性が高い部材）により容易に取り付けることができる。さらに、前記補強部材が合板であることから、廃材なども使用してリサイクルすることも可能となる。
【００２７】
請求項２記載の発明によれば、前記本体部をその上下幅に渡って補強することができ、縦框材の端部の強度の向上が図られ、これにより前記建物の支持体に前記荷重を確実に受けさせることができる。
また、前記補強部材を前記切り欠き部内側の本体部の側面に取り付ける際に、前記側面の上下端部を基準に、これら上下端部に渡るように取り付けることができ、その取り付け作業の位置決めが行いやすい。
【００２８】
請求項３記載の発明によれば、前記補強部材は、前記角部を含む切り欠き部に沿って設けられているので、前記補強部材を前記切り欠き部の近傍に設けるだけで、角部を効率よく補強した状態とすることができる。
【００３０】
請求項４記載の発明によれば、前記縦框材は請求項１〜３のいずれかに記載の建築用横架材であり、前記横框材は、前記縦框材である建築用横架材の端部で且つ前記切り欠き部より上部分に接合されているので、これら縦横の框材を組むことよりなる枠体を備えたパネルとなり、請求項１〜３のいずれかに記載の発明と同様の効果を得ることができるパネルとなる。
【図面の簡単な説明】
【図１】本発明を適用した一実施の形態の縦框材を用いてなる２階床パネルの全体斜視図である。
【図２】図１の縦框材の斜視図である。
【図３】図１の床パネルの端部を壁パネルに設けた状態を示す縦断面図である。
【符号の説明】
１      ２階床パネル（パネル）
２      １階壁パネル（建物の支持体）
９      補強合板（補強部材）
１１      縦框材（建築用横架材）
１２      横框材
１８      切り欠き部
１８ａ      角部
１１０      縦框材の端部（建築用横架材の端部）
【図１】
0004456233.tif 000002
【図２】
0004456233.tif 000003
【図３】
0004456233.tif 000004